(57)【要約】【課題】テンプレートに適合したユーザ画像を撮像することを容易にするディジタルカメラ及びテンプレートデータ構造を提供する。【解決手段】被写体を撮像する撮像手段と、ユーザ画像の差込領域を有する既定画像を表す既定画像データと前記差込領域に差し込まれるユーザ画像の撮像を制御する撮像制御データとを互いに関連付けて記憶する記憶手段と、前記撮像制御データに基づいて前記撮像手段を制御する制御手段と、前記撮像手段から出力されるユーザ画像を表すユーザ画像データを前記既定画像データに関連付けて出力する出力手段と、を備えることを特徴とするディジタルカメラ。【選択図】  図１
2005051298.tif 000002
【特許請求の範囲】
【請求項１】
被写体を撮像する撮像手段と、
ユーザ画像の差込領域を有する既定画像を表す既定画像データと前記差込領域に差し込まれるユーザ画像の撮像を制御する撮像制御データとを互いに関連付けて記憶する記憶手段と、
前記撮像制御データに基づいて前記撮像手段を制御する制御手段と、
前記撮像手段から出力されるユーザ画像を表すユーザ画像データを前記既定画像データに関連付けて出力する出力手段と、
を備えることを特徴とするディジタルカメラ。
【請求項２】
前記制御手段は、前記撮像手段の撮像範囲内の自動焦点合わせされる領域を前記撮像制御データに基づいて制御することを特徴とする請求項１に記載のディジタルカメラ。
【請求項３】
前記制御手段は、前記撮像制御データに基づいて前記撮像手段の撮像範囲内の測光領域を制御することを特徴とする請求項１又は２に記載のディジタルカメラ。
【請求項４】
前記制御手段は、前記撮像制御データに基づいて前記撮像手段の露出を制御することを特徴とする請求項１、２又は３に記載のディジタルカメラ。
【請求項５】
前記制御手段は、前記撮像制御データに基づいて前記撮像手段の絞りを制御することを特徴とする請求項１〜４のいずれか一項に記載のディジタルカメラ。
【請求項６】
前記制御手段は、前記撮像制御データに基づいて前記撮像手段の露光期間を制御することを特徴とする請求項１〜５のいずれか一項に記載のディジタルカメラ。
【請求項７】
ユーザ画像の差込領域を有する既定画像を表す既定画像データが格納される既定画像領域と、
前記差込領域に差し込まれるユーザ画像の撮像を制御する撮像制御データが格納される撮像制御領域と、
を含むことを特徴とするテンプレートデータ構造。
【請求項８】
前記撮像制御データは、前記差込領域に差し込まれるユーザ画像を撮像するディジタルカメラの撮像条件を制御することを特徴とする請求項７に記載のテンプレートデータ構造。
【請求項９】
前記撮像制御データは、前記ディジタルカメラの撮像範囲内の自動焦点合わせされる領域を制御することを特徴とする請求項８に記載のテンプレートデータ構造。
【請求項１０】
前記撮像制御データは、前記ディジタルカメラの撮像範囲内の測光領域を制御することを特徴とする請求項８又は９に記載のテンプレートデータ構造。
【請求項１１】
前記撮像制御データは、前記ディジタルカメラの露出を制御することを特徴とする請求項８、９又は１０に記載のテンプレートデータ構造。
【請求項１２】
前記撮像制御データは、前記ディジタルカメラの絞りを制御することを特徴とする８〜１１のいずれか一項に記載のテンプレートデータ構造。
【請求項１３】
前記撮像制御データは、前記ディジタルカメラの露光期間を制御することを特徴とする８〜１２のいずれか一項に記載のテンプレートデータ構造。
【発明の詳細な説明】
【０００１】
【発明の属する技術分野】
本発明はディジタルカメラ及びテンプレートデータ構造に関する。
【０００２】
【従来の技術】
従来、ユーザが選択した任意の画像（ユーザ画像）を使った合成画像を形成するためのテンプレートが知られている。テンプレートは、ユーザ画像の背景や飾り縁になる既定画像を表すデータや、ユーザ画像を差し込む領域を表すデータ等で構成されている。テンプレートに差し込むユーザ画像は、例えばディジタルカメラ、イメージスキャナ等によって撮像される。特許文献１には、ディジタルカメラの撮影モードにおいて、電子ビューファインダにテンプレートの既定画像と被写体画像とを合成表示することにより、テンプレートに合わせてフレーミングすることを容易にする方法が開示されている。
【０００３】
ところで、ユーザ画像の中心からずれた領域を部分的に差し込んだり、ユーザ画像の中心部に既定画像が重なるようにレイアウトが定義されているテンプレートがある。このようなテンプレートに差し込むユーザ画像をディジタルカメラで撮像する場合、被写体の中心部が電子ビューファインダの中心部からずれた領域に位置するようにフレーミングする。このようにフレーミングした被写体をオートフォーカスモードで撮像する場合、撮像範囲の中心ではなく、被写体の中心部に焦点を合わせて撮像することが望ましい。
【０００４】
【特許文献１】
特開平１１−１６８６８９号公報
【０００５】
【発明が解決しようとする課題】
しかし一般に、ディジタルカメラのオートフォーカスモードでは、撮像範囲の中心領域を測距し、その領域に焦点を合わせている。このため、撮像範囲の中心からずれた部分に焦点を合わせようとすると、一般に、被写体の中心部が撮像範囲の中心にくるようにフレーミングした状態でフォーカスロックし、その後、被写体の中心部がテンプレートの既定画像に対応した位置に移動するように、フレーミングし直す操作が必要になる。しかし、カメラの操作に不慣れなユーザにとってはこのような操作は一般に困難である。
本発明は、このような問題を解決するために創作されたものであって、テンプレートに適合したユーザ画像を撮像することを容易にするディジタルカメラ及びテンプレートデータ構造を提供することを目的とする。
【０００６】
【課題を解決するための手段】
上記目的を達成するため、本発明に係るディジタルカメラは、被写体を撮像する撮像手段と、ユーザ画像の差込領域を有する既定画像を表す既定画像データと前記差込領域に差し込まれるユーザ画像の撮像を制御する撮像制御データとを互いに関連付けて記憶する記憶手段と、前記撮像制御データに基づいて前記撮像手段を制御する制御手段と、前記撮像手段から出力されるユーザ画像を表すユーザ画像データを前記既定画像データに関連付けて出力する出力手段と、を備えることを特徴とする。ユーザ画像の差込領域を有する既定画像を表す既定画像と差込領域に差し込まれるユーザ画像の撮像を制御する情報とを互いに関連付けて、撮像前に、ディジタルカメラに記憶しておき、テンプレートに差し込むユーザ画像を撮像する時には、予め記憶しておいた撮像を制御する情報に基づいて撮像手段を制御することにより、テンプレートに適したユーザ画像をディジタルカメラで撮像することが容易になる。尚、本明細書では、対象物を撮像することによりその対象物を表すユーザ画像を作成する処理のことを「ユーザ画像を撮像する」というものとする。
【０００７】
さらに、本発明に係るディジタルカメラでは、前記制御手段は、前記撮像手段の撮像範囲内の自動焦点合わせされる領域を前記撮像制御データに基づいて制御することを特徴とする。撮像範囲内の自動焦点合わせされる領域を制御する情報を予めディジタルカメラに記憶しておき、その情報を用いて撮像を制御することにより、ユーザ画像の中心からずれた領域がテンプレートの既定画像と合成される重要な領域に相当する場合であっても、テンプレートの既定画像と合成されるユーザ画像の重要な領域に対応する撮像範囲内の領域を測距し、その領域に焦点を合わせて被写体を撮像することが容易になる。
【０００８】
さらに、本発明に係るディジタルカメラでは、前記制御手段は、前記撮像制御データに基づいて前記撮像手段の撮像範囲内の測光領域を制御することを特徴とする。撮像範囲内の測光領域を制御する情報を予めディジタルカメラに記憶しておき、その情報を用いて撮像を制御することにより、ユーザ画像の中心からずれた領域がテンプレートの既定画像と合成される重要な領域に相当する場合であっても、テンプレートの既定画像と合成されるユーザ画像の重要な領域に対応する撮像範囲内の領域に合わせた露出を設定して被写体を撮像することが容易になる。
【０００９】
さらに、本発明に係るディジタルカメラでは、前記撮像制御データに基づいて前記撮像手段の露出を制御することを特徴とする。テンプレートの主題や用途に適した露出を設定するための情報を予めディジタルカメラに記憶しておき、その情報を用いて露出を制御することにより、テンプレートの主題や用途に適した露出を設定して被写体を撮像することが容易になる。
【００１０】
さらに、本発明に係るディジタルカメラでは、前記制御手段は、前記撮像制御データに基づいて前記撮像手段の絞りを制御することを特徴とする。テンプレートの主題や用途に適した絞りを設定するための情報を予めディジタルカメラに記憶しておき、その情報を用いて絞りを制御することにより、テンプレートの主題や用途に適した絞りを設定して被写体を撮像することが容易になる。
【００１１】
さらに、本発明に係るディジタルカメラでは、前記制御手段は、前記撮像制御データに基づいて前記撮像手段の露光期間を制御することを特徴とする。テンプレートの主題や用途に適した露光期間を設定するための情報を予めディジタルカメラに記憶しておき、その情報を用いて露光期間を制御することにより、テンプレートの主題や用途に適した露光期間を設定して被写体を撮像することが容易になる。
【００１２】
上記目的を達成するため、本発明に係るテンプレートデータ構造は、ユーザ画像の差込領域を有する既定画像を表す既定画像データが格納される既定画像領域と、前記差込領域に差し込まれるユーザ画像の撮像を制御する撮像制御データが格納される撮像制御領域と、を含むことを特徴とする。差込領域に差し込まれるユーザ画像の撮像を制御する情報をテンプレートデータに含めることにより、テンプレートに適合したユーザ画像を撮像することが容易になる。
【００１３】
さらに、本発明に係るテンプレートデータ構造では、前記撮像制御データは、前記差込領域に差し込まれるユーザ画像を撮像するディジタルカメラの撮像条件を制御することを特徴とする。差込領域に差し込まれるユーザ画像を撮像するディジタルカメラの撮像条件を制御する情報をテンプレートデータに含めることにより、テンプレートに適したユーザ画像をディジタルカメラで撮像することが容易になる。
【００１４】
さらに、本発明に係るテンプレートデータ構造では、前記撮像制御データは、前記ディジタルカメラの撮像範囲内の自動焦点合わせされる領域を制御することを特徴とする。ディジタルカメラの撮像範囲内の自動焦点合わせされる領域を制御する情報をテンプレートデータに含めることにより、ユーザ画像の中心からずれた領域がテンプレートの既定画像と合成される重要な領域に相当する場合であっても、テンプレートの既定画像と合成されるユーザ画像の重要な領域に対応する撮像範囲内の領域に焦点を合わせて被写体を撮像することが容易になる。
【００１５】
さらに、本発明に係るテンプレートデータ構造では、前記撮像制御データは、前記ディジタルカメラの撮像範囲内の測光領域を制御することを特徴とする。ディジタルカメラの撮像範囲内の測光領域を制御する情報をテンプレートデータに含めることにより、ユーザ画像の中心からずれた領域がテンプレートの既定画像と合成される重要な領域に相当する場合であっても、テンプレートの既定画像と合成されるユーザ画像の重要な領域に対応する撮像範囲内の領域に合わせた適正露出を設定して被写体を撮像することが容易になる。
【００１６】
さらに、本発明に係るテンプレートデータ構造では、前記撮像制御データは、前記ディジタルカメラの露出を制御することを特徴とする。ディジタルカメラの露出を制御する情報をテンプレートデータに含めることにより、テンプレートの主題や用途に合った露出を設定して被写体を撮像することが容易になる。例えば、特定の人物の写真画像に飾り縁を付けて表示する用途が想定されたテンプレートの場合、その人物の領域が鮮鋭で、その人物以外の領域がぼやけていると、好ましい合成結果が得られることがある。そのような場合、絞りを小さく設定する絞り優先の自動露出モードで撮像するようにディジタルカメラを制御する情報をテンプレートに含めることが望ましい。
【００１７】
さらに、本発明に係るテンプレートデータ構造では、前記撮像制御データは、前記ディジタルカメラの絞りを制御することを特徴とする。ディジタルカメラの絞りを制御する情報をテンプレートデータに含めることにより、テンプレートの主題や用途に合った絞りを設定して被写体を撮像することが容易になる。
【００１８】
さらに、本発明に係るテンプレートデータ構造では、前記撮像制御データは、前記ディジタルカメラの露光期間を制御することを特徴とする。ディジタルカメラの露光期間を性御する情報をテンプレートデータに含めることにより、テンプレートの主題や用途に合った露光期間を設定して被写体を撮像することが容易になる。例えば、スポーツシーンのユーザ画像をレイアウトした電子アルバムを作成するためのテンプレートの場合、動きの早い被写体を撮像して鮮明なユーザ画像を作成するため、露光期間を短く制御する情報をテンプレートに含めることが望ましい。
【００１９】
【発明の実施の形態】
以下、実施例に基づいて本発明の実施の形態を説明する。
図２は、本発明の一実施例に係るテンプレートの用途を説明するための模式図である。
テンプレートは例えば通信ネットワークを通じてユーザに配布される。具体的には例えば、ユーザの要求に応じて、サーバ１０に格納されたテンプレートが通信ネットワークに接続されたパーソナルコンピュータ（ＰＣ）１２や、携帯電話１８等の携帯情報端末に送信される。
【００２０】
ディジタルカメラ２２では、被写体を撮像して作成した画像データ（ユーザ画像データ）をテンプレートに関連づけて出力する。ディジタルカメラ２２でユーザ画像データを作成するための撮像条件は、テンプレートに基づいて設定される。テンプレートと関連づけてディジタルカメラ２２から出力されたユーザ画像データは、ディジタルカメラ２２に直接接続されたプリンタ２８又はリムーバブルメモリ２０を介してディジタルカメラ２２からデータを取得するプリンタ３０でテンプレートに差し込まれて印刷されたり、ディジタルカメラ２２に直接接続されたテレビモニタ２４でテンプレートに差し込まれて表示されたり、通信ネットワークを通じてテンプレートとユーザ画像をディジタルカメラ２２から転送された携帯電話１６でテンプレートに差し込まれて表示されたりする。
【００２１】
ディジタルカメラ２２にテンプレートを入力する方法としては、ＰＣ１２でリムーバブルメモリ２０に記憶したテンプレートをディジタルカメラに読み込む方法や、無線通信インタフェースや有線通信インタフェースでディジタルカメラ２２とＰＣ１２や携帯電話１８を直接接続する方法がある。
【００２２】
図１は、本発明の一実施例に係るテンプレートを説明するための模式図である。テンプレートは、ユーザ画像を差し込んで表示するために予め作成されたページレイアウトである。テンプレートは、ユーザ画像と合成される予め作成された画像（既定画像）３２、３６、４０、４４、４８と、ユーザ画像を差し込む領域（差込領域）３３、３７、４１、４５、４９と、ユーザ画像の撮像を制御する情報（撮像制御情報）３４、３８、４２、４６、５０とを表すデータ等で構成される。差込領域は図１でハッチングが付された領域である。
【００２３】
既定画像３２、３６、４０、４４、４８はラスタデータで表してもよいし、ベクトルデータで表してもよい。差込領域３３、３７、４１、４５、４９は、座標で規定してもよいし、透過率を画素毎に定義する所謂αチャンネルによって規定してもよいし、座標とαチャンネルの組み合わせで規定してもよい。αチャンネルを用いることにより、矩形でない任意の形状の差込領域を規定することが可能になる。本実施例では、印刷用紙サイズによって決まるページに対し、既定画像及びユーザ画像の配置を座標で規定し、ＲＧＢの各チャンネルとαチャンネルを有する画像データで既定画像を表すことによって差込領域に対応する透明領域を有する既定画像を表している。また、本実施例では、既定画像及びユーザ画像の配置をページ上で一致させて両画像の外縁を一致させるが、既定画像及びユーザ画像の外縁を一致させなくてもよい。また、本実施例では、ＲＧＢの各チャンネルとαチャンネルを含む１ファイルの画像データで差込領域を有する既定画像を表しているが、ＲＧＢの３チャンネルとαチャンネルとが２つのファイルに分けられていてもよい。
【００２４】
撮像制御情報３４、３８、４２、４６、５０は、後述するレイアウト制御ファイルの中にスクリプト言語によって記述される。撮像制御情報には、ディジタルカメラ２２で被写体を撮像し、被写体を表す画像データ（ユーザ画像ファイル）を不揮発性の記憶媒体に記録するために実施される任意の処理を制御する情報を含めることができる。具体的には例えば、測距領域、測光領域、撮影モード（パノラマ撮影モード、マクロ撮影モード、夜景撮影モード、ポートレート撮影モード、風景撮影モード、スポーツ撮影モード等）、絞り補正、色調、ホワイトバランス、シャッタスピード、圧縮率、画像サイズ等を制御する情報を撮像制御情報としてテンプレートに含めることができる。以下、具体的な用途を挙げて説明する。
【００２５】
図１（Ａ）に示すテンプレートは、人物写真のユーザ画像を差し込んだ年賀状を印刷表示するためのテンプレートである。前述したように既定画像３２とユーザ画像の外縁が一致するように両画像がページ上に配置されるため、差込領域３３に差し込まれるのはユーザ画像の中心から左寄りの円形領域になる。したがって、ユーザ画像の重要な部分は、中心部ではなく、中心から左よりの領域になる。すなわち、図１（Ａ）に示すテンプレートに差し込む画像を撮像するときには、撮像範囲の中心から左寄りに被写体の顔などの要部がくるようにフレーミングし、撮像範囲の中心から左寄りに焦点を合わせ、撮像範囲の中心から左寄りの光量に応じて露出を設定することが望ましい。そこで、図１（Ａ）に示すテンプレートでは、自動焦点合わせのための測距領域を「左」に、自動露出設定のための測光領域を「左」に、撮影モードを「ポートレート」に設定する。尚、測距領域及び測光領域は、撮像範囲を中心、左、右、上、下に５分割した各領域のいずれかに設定可能であるものとする。ただし、測距領域及び測光領域の設定がこの形態に限定されないことは当然である。また、ディジタルカメラ２２で撮影モードが「ポートレート」に設定されると、ディジタルカメラ２２の機種毎に人物撮影に適した値が撮像条件を構成する各種のパラメータに設定される。
【００２６】
図１（Ｂ）に示すテンプレートは、卒業式のスナップ写真のユーザ画像を差し込んだ電子アルバムを画面表示するためのテンプレートである。差込領域３７に差し込まれるのはユーザ画像の中心から右よりの矩形領域になる。したがって、ユーザ画像の重要な部分は、中心から右よりの領域になる。そこで、図１（Ｂ）に示すテンプレートでは、測距距域及び測光領域を「右」に設定している。また、図１（Ｂ）に示すテンプレートでは、卒業式の雰囲気を演出するため、色調を「セピア」に設定している。ディジタルカメラ２２で色調が「セピア」に設定されると、撮像時に彩度を下げる色変換処理が実施され、セピア調のユーザ画像を表す画像データが不揮発性の記憶媒体に記録される。
【００２７】
図１（Ｃ）に示すテンプレートは、夏に記録した写真のユーザ画像を差し込んだ８月のカレンダーを印刷表示するためのテンプレートである。図１（Ｃ）に示すテンプレートでは、夏の雰囲気を演出するため色調を「鮮やか」に設定している。ディジタルカメラ２２で色調が「鮮やか」に設定されると、撮像時に彩度を上げる色変換処理が実施され、鮮やかな色合いのユーザ画像を表す画像データが不揮発性の記憶媒体に記録される。
【００２８】
図１（Ｄ）に示すテンプレートは、旅行中に記録した写真のユーザ画像を差し込んだはがきを印刷表示するためのテンプレートである。図１（Ｄ）に示すテンプレートでは、人物と、人物の背景にある旅行先の風景の両方を鮮明に表したユーザ画像が差し込まれるように、絞り補正を「＋２」に設定し、自動露出の初期設定よりも絞りを開放するようにディジタルカメラ２２を制御する。
【００２９】
図１（Ｅ）に示すテンプレートは、運動会で記録した動きのある被写体を表すユーザ画像を差し込んだ電子アルバムを画面表示するためのテンプレートである。図１（Ｅ）に示すテンプレートでは、屋外で実施される運動会で走ったり踊ったりしている動きの早い人物が表されたユーザ画像を自然かつ鮮明に撮像できるように、ホワイトバランスを「屋外」に設定し、シャッタスピードを「高速」に設定している。ディジタルカメラ２２でホワイトバランスが「屋外」に設定されると、太陽光の下で撮像される被写体の色合いが人に違和感無く感じられるように、色変換処理が実施される。また、ディジタルカメラ２２でシャッタスピードが「高速」に設定されると、シャッタスピードを優先する自動露出設定で絞りが設定される。
【００３０】
図３は、本実施例に係るディジタルカメラ２２を示すブロック図である。図４は、本実施例に係るディジタルカメラ２２の外観を示す図であって、（Ａ）は正面図、（Ｂ）は背面図である。
撮像手段としての光学系５６は、レンズ５８、絞り６０、シャッタ６２等で構成されている。
【００３１】
レンズ５８は撮像手段としての焦点コントローラ５２によって駆動される。焦点コントローラ５２は、イメージセンサ６６の受光面に被写体の鮮明な光学像が結像されるようにレンズ５８を光軸方向に移動させる。焦点コントローラ５２の測距方式としては、アクティブ方式でもパッシブ方式でもよいし、またＴＴＬ（Ｔｈｒｏｕｇｈ  ｔｈｅ  Ｌｅｎｓ）方式でも外光方式でもよいし、また、コントラスト検出方式でも位相検出方式でもよい。焦点コントローラの測距領域は、撮像範囲を中心、左、右、上、下に５分割した各領域に設定可能である。尚、本実施例では、光学ファインダ１０４（図４参照）を備えるが、所謂一眼レフの光学系でもよい。
【００３２】
絞り６０及びシャッタ６２は、撮像手段としての露出コントローラ５４によって駆動される。露出コントローラ５４は、調光センサ１０２（図４参照）を備え、イメージセンサ６６の受光面に適正な光量の光が入射するように絞り６０の開口面積とシャッタ６２の開放期間を制御する。露出コントローラ５４の測光方式は、デジタルＥＳＰ測光及びスポット測光の両方に対応している。テンプレートで測光領域が設定されると、指定された測光領域をスポット測光方式で測光し、適正露出を決定する。スポット測光方式では、撮像範囲を中心、左、右、上、下に５分割した各領域に測光領域を設定可能である。尚、本実施例では機械式のシャッタ６２で露光期間を制御するが、センサコントローラ６４によってイメージセンサ６６の電荷蓄積時間を電気的に制御することによって露光期間を制御してもよい。
【００３３】
撮像手段としてのイメージセンサ６６は、２次元空間に離散的に配置された画素とＣＣＤ（Ｃｈａｒｇｅ  Ｃｏｕｐｌｅｄ  Ｄｅｖｉｃｅ）等の電荷転送素子とを備えたエリアイメージセンサである。イメージセンサ６６は、撮像手段としてのセンサコントローラ６４によって駆動される。イメージセンサ６６は、光学系５６により受光面に結像される光学像を光電変換して得られる電荷を画素毎に一定時間蓄積し、画素毎の受光量に応じた電気信号を出力する。受光面にＣ（Ｃｙａｎ）、Ｍ（Ｍａｇｅｎｔａ）、Ｙ（Ｙｅｌｌｏｗ）及びＧ（Ｇｒｅｅｎ）の４色の補色フィルタ、またはＲ（Ｒｅｄ）、Ｇ（Ｇｒｅｅｎ）及びＢ（Ｂｌｕｅ）の原色フィルタを設けることによりカラー画像を撮像することが可能になる。
【００３４】
撮像手段としてのＡ／Ｄ変換部（ＡＤＣ）７２は、イメージセンサ６６から出力されるアナログ電気信号を量子化してディジタル信号に変換する。具体的には例えば、ＡＤＣ７２は、電気信号に含まれる雑音の低減処理、ゲインの調整による電気信号のレベル調整処理、量子化処理等を行う。
【００３５】
撮像手段としてのディジタル画像処理部７４は、ＡＤＣ７２から出力されたディジタル信号に対し、画像形成処理、ホワイトバランス補正、γ補正、その他の色変換等を施し、各画素についてＲ、Ｇ、Ｂの階調値や、Ｙ、Ｃｂ、Ｃｒの階調値などを表すディジタル画像データを作成する。ここで画像形成処理とは、イメージセンサ６６の各画素に対応する一色分の輝度情報を近傍の画素の異なる色の輝度情報で補間することにより画素毎にＲ、Ｇ、Ｂの３つの階調値を持つディジタル画像データを出力する処理のことをいう。ホワイトバランス補正とは、光源の種類によらず白い被写体が白く見えるように補正する処理のことをいう。一般にディジタルカメラでは、白い被写体を太陽光の下で撮像したときは白く見えても屋内の白熱灯による照明で撮像すると赤みがかって見える。このため、ホワイトバランス補正により白い被写体がディジタル画像上でも白く見えるように補正する。ホワイトバランスをどう補正するかは光源によって異なるため、ディジタルカメラ２２は光源の種類を特定するために「屋外」、「蛍光灯」、「白熱灯」のいずれかの項目をユーザに選択させ、選択された項目に応じた補正を行う。ホワイトバランス補正、γ補正以外の色変換処理としては、例えば、彩度を上げて鮮やかな画像を形成する処理や、彩度を下げてセピア調の画像を形成する処理等がある。
【００３６】
撮像手段としての圧縮・伸張部７６は、ディジタル画像処理部７４で作成された画像データを圧縮し、リムーバブルメモリ２０に圧縮されて記憶された画像データを伸張する。圧縮・伸張部７６は、圧縮後のデータ形式をＪＰＥＧ形式、ＲＡＷ形式、ＴＩＦＦ形式のいずれにすることもでき、これらのデータ形式と圧縮率を選択可能である。
記憶手段としてのリムーバブルメモリコントローラ８８は、記憶手段としてのリムーバブルメモリ２０にデータを書き込み、リムーバブルメモリ２０に記憶されたデータを読み込む。
【００３７】
制御手段としての制御部８６は、ＣＰＵ８０、フラッシュメモリ８４、ワークメモリ８２を備える。ＣＰＵ８０はフラッシュメモリ８４に記憶されているコンピュータプログラムを実行することでディジタルカメラ２２の全体を制御する。フラッシュメモリ８４は、各種のプログラムやデータなどを記憶する不揮発性の内部メモリである。フラッシュメモリ８４に記憶する各種のプログラムやデータは所定のサーバからネットワークを介してダウンロードして記憶してもよいし、リムーバブルメモリ２０等のコンピュータ読み取り可能な記憶媒体から読み出して記憶してもよい。ワークメモリ８２は、プログラムやデータを一時的に記憶するための揮発性の内部メモリである。
【００３８】
ＬＣＤ６８は、ディスプレイコントローラ７０によって制御され、ディジタル画像や各種の設定メニューなどを表示する。
ディスプレイコントローラ７０は、ＬＣＤ６８の一画面分のデータを格納するためのフレームバッファと、フレームバッファに格納されたデータに基づいてＬＣＤ６８を駆動するための表示回路とを備える。
【００３９】
操作部７８は、制御部８６にユーザの指示を入力するための複数のスイッチとインタフェース回路とを備えている。操作部７８のスイッチには、電源ボタン９８、シャッタボタン９６、撮影モードと再生モードを切り替えるためのモードダイヤル１００、ディジタルカメラ２２とプリンタ２８（図２参照）を直接接続した状態で印刷開始を指示するためのプリントボタン１０６、メニューを画面表示するためのメニューボタン１１２、ズームインボタン１１０、ズームアウトボタン１０８、メニューを操作するための十字キーで構成されたマルチセレクタ１１４、マクロ撮影のための撮影条件を設定するマクロボタン１１６、フラッシュ撮影のためのフラッシュボタン１１８、ＬＣＤ６８をオンにするディスプレイボタン１２０、リムーバブルメモリ２０に記憶された画像データを画面表示するための簡易再生ボタン１２２等がある。
電源部９２は、電池９４、制御回路などを備え、上述の各部に電気的に接続されている。電池９４は上述の各部に電力を供給する。
【００４０】
図５は、本実施例のディジタルカメラ２２のディレクトリを示す図である。撮像前に入力されたテンプレートはフラッシュメモリ８４の特定のディレクトリ（図示の例では「テンプレート」）に記憶される。テンプレートは以下に述べる複数のファイルで構成される。
拡張子が「ｕｓｄ」のレイアウト制御ファイルには、印刷用紙サイズと、既定画像及びユーザ画像の配置と、既定画像を表すファイルのパスと、撮像制御情報とがスクリプト言語で記述されている。スクリプトで記述された撮像制御情報が撮像制御データに相当する。同一デザインのテンプレートを印刷用紙サイズ毎のレイアウト制御ファイルで定義してもよい。図５に示す例では、「カレンダ」というタイトルで特定される同一デザインのテンプレートが「カレンダ０１．ｕｓｄ」と「カレンダ０２．ｕｓｄ」という２つのレイアウト制御ファイルで表されている。
【００４１】
拡張子が「ｕｓｍ」のインデックスファイルには、１つのデザインのテンプレートを構成する複数のファイルを関連づける情報が記述されている。例えば、各印刷用紙サイズとレイアウト制御ファイルのパスを対応付ける情報が記述されている。
拡張子が「ｅｆｆ」の既定画像ファイルには、既定画像を表すデータが格納されている。上述したように既定画像ファイルは、ＲＧＢの各チャンネルとαチャンネルの合計４チャンネルでユーザ画像の差込領域を有する既定画像を表している。
拡張子が「ｕｓｆ」のサムネイルファイルには、テンプレートのデザインを画面表示するための画像データが格納されている。
【００４２】
拡張子が「ｃｔｆ」のフレーミング補助画像ファイルには、既定画像の全部又は一部をモノクロで表すフレーミング補助画像をＬＣＤ６８に画面表示するための画像データが格納されている。撮像モードでは、フレーミング補助画像がＬＣＤ６８に表示され、フレーミング補助画像の下位レイヤーに被写体が動画表示される。このため、テンプレートにユーザ画像を差し込んだときに既定画像に被写体の重要な部分が隠れないように、被写体をフレーミングすることが容易になる。
【００４３】
図６は、本実施例のディジタルカメラ２２でテンプレートに差し込むユーザ画像を作成しリムーバブルメモリ２０に記録する処理の流れを示すフローチャートである。
はじめに、フラッシュメモリ８４に予め記憶されているテンプレートをユーザが選択する（Ｓ１００）。具体的には、フラッシュメモリ８４に予め記憶されているテンプレートのサムネイルファイルをＬＣＤ６８に表示し、サムネイルファイルを表示したテンプレートの中からユーザに所望のテンプレートを選択させる。
【００４４】
次に、選択されたテンプレートのフレーミング補助画像データとディジタル画像処理部７４から出力される画像データに基づいてフレーミング補助画像と被写体の動画像をＬＣＤ６８に表示する（Ｓ１１０）。
次に、テンプレートのレイアウト制御ファイルに記述された撮像制御情報に基づいて、自動露出設定のための測光領域と、自動焦点設定のための測距領域を設定する（Ｓ１２０）。
【００４５】
次に、シャッタボタン９６が中間位置まで押し込まれるまで待機する（Ｓ１３０）。
シャッタボタン９６が中間位置まで押し込まれると、選択されたテンプレートのレイアウト制御ファイルに記述された撮像制御情報に基づいて、シャッタスピード及び絞りを設定する（Ｓ１４０）。具体的には例えば、図１（Ｅ）に示したテンプレートの場合、撮像範囲の中央から左寄りの領域を測距及び測光し、高速のシャッタスピードに合わせた適正絞りをその結果に基づいて計算し、計算結果で得られた適正絞りと高速のシャッタスピードを設定する。また例えば図１（Ｄ）に示すテンプレートの場合、測光結果に基づいて計算した標準絞りよりも絞り６０の開口面積が大きくなるように標準絞りから「＋２」の絞りに設定し、その絞りに応じた適正なシャッタスピードを計算し設定する。また例えば図１（Ａ）に示すテンプレートの場合、「ポートレート」の撮影モードに応じた露出条件を測光結果に基づいて計算し設定する。
【００４６】
次に、シャッタボタン９６が最後まで押し込まれるまで待機する（Ｓ１５０）。
シャッタボタン９６が最後まで押し込まれると、選択されたテンプレートのレイアウト制御ファイルに記述された撮像制御情報に基づいて被写体を撮像し、被写体を表す画像データを作成する（Ｓ１６０）。具体的には例えば、図１（Ｅ）に示したテンプレートの場合、Ｓ１４０で設定したシャッタスピードと絞りで露出を制御してイメージセンサ６６の受光面を露光し、太陽光の光源に応じてホワイトバランスを補正する。また例えば、図１（Ｂ）に示すテンプレートの場合、色調がセピア調になるように色変換処理を施す。また例えば、図１（Ｃ）に示すテンプレートの場合、色調が鮮やかになるように色変換処理を施す。
【００４７】
次に、被写体を表す画像データを含む画像ファイル（ユーザ画像ファイル）と、選択されたテンプレートを構成するファイル群と、ユーザ画像ファイルとテンプレートのファイル群とを関連づけるファイル（関連付けファイル）とを図５に示すようにリムーバブルメモリ２０に出力する（Ｓ１７０）。画像データがリムーバブルメモリ２０に出力されるときは、所定の圧縮率で所定の形式に圧縮される。尚、画像データの圧縮率や圧縮形式をテンプレートの撮像制御情報に基づいて設定してもよい。図５では、「００１．ｊｐｇ」がユーザ画像ファイルであり、「００１．ｕｓｔ」が関連付けファイルである。関連付けファイルのファイル名は、対応するユーザ画像ファイルのファイル名と一致させ、関連付けファイルには、選択されたテンプレートを特定する情報として、例えばインデックスファイル（「カレンダ．ｕｓｍ」）のパスが記述される。上述したように、インデックスファイルにはレイアウト制御ファイルのパスが記述され、レイアウト制御ファイルには既定画像ファイルのパスが記述されているため、ユーザ画像ファイルとともに関連付けファイルをリムーバブルメモリ２０に出力することにより、ユーザ画像ァイルと既定画像ファイルとが関連づけられる。
【００４８】
尚、ユーザ画像ァイルと既定画像ファイルとを直接関連づける情報をユーザ画像ファイルに記述してもよいし、ユーザ画像ァイルとレイアウト制御ファイルとを直接関連づける情報をユーザ画像ファイルに記述してもよい。また、既定画像ファイルを含むテンプレートを構成するファイル群をリムーバブルメモリ２０に出力せず、選択されたテンプレートの識別子をユーザ画像ファイルとともに出力してもよい。この場合、テンプレートの識別子としては、サーバ１０に記憶されたテンプレートを特定するためのＵＲＬやＵＵＩＤ等が望ましい。テンプレートの実体をリムーバブルメモリ２０に出力する代わりにその識別子を出力することにより、リムーバブルメモリ２０の記憶容量の消費を抑制することができる。ユーザ画像ファイルを表示するときには、テンプレートの識別子を用いてサーバ１０からテンプレートを構成するファイル群をダウンロードし、ダウンロードしたファイル群に基づいてユーザ画像を既定画像に差し込んで表示することができる。
【００４９】
以上説明した本発明の実施例によると、テンプレートのレイアウト制御ファイルに記述された撮像制御情報に基づいてディジタルカメラ２２の撮像条件が設定されるため、テンプレートに適合したユーザ画像を撮像するための撮像条件をユーザが逐一設定する必要がない。したがって、本発明の実施例によると、テンプレートに適合したユーザ画像をディジタルカメラ２２で容易に撮像し、リムーバブルメモリ２０に記録することができる。
尚、上述の実施例では、テンプレートに差し込むユーザ画像をディジタルカメラで撮像する例について説明したが、ユーザ画像をイメージスキャナ等のディジタルカメラ以外の画像装置で撮像してもよい。
【図面の簡単な説明】
【図１】実施例に係るテンプレートを説明するための模式図。
【図２】実施例に係るテンプレートの用途を説明するための模式図。
【図３】実施例に係るディジタルカメラを示すブロック図である。
【図４】実施例に係るディジタルカメラの外観を示す図であって、（Ａ）は正面図、（Ｂ）は背面図。
【図５】実施例に係るディジタルカメラのディレクトリを示す図。
【図６】実施例に係る処理の流れを示すフローチャート。
【符号の説明】
２０  リムーバブルメモリ（記憶手段）、２２  ディジタルカメラ、３２、３６、４０、４４、４８  既定画像、３３、３７、４１、４５、４９  差込領域、３４、３８、４２、４６、５０  撮像制御情報（撮像制御データ）、５２  焦点コントローラ（撮像手段）、５４  露出コントローラ（撮像手段）、５６  光学系（撮像手段）、６４  センサコントローラ（撮像手段）、６６  イメージセンサ（撮像手段）、７２  Ａ／Ｄ変換部（撮像手段）、７４  ディジタル画像処理部（撮像手段）、７６  圧縮・伸張部（撮像手段）、８６  制御部（制御手段）、８８  リムーバブルメモリコントローラ（記憶手段）
【図１】
2005051298.tif 000003
【図２】
2005051298.tif 000004
【図３】
2005051298.tif 000005
【図４】
2005051298.tif 000006
【図５】
2005051298.tif 000007
【図６】
2005051298.tif 000008